(57)【要約】【課題】本発明は、補強部材が他の部材の取り付けられている状態であっても、補強部材に対する表示部材の取り付けの確認を容易にできる表示装置を提供することを目的とする。【解決手段】デジタルカメラでは、画像を表示する表示面を表面に有する表示部材と、表示部材の背面に一部が接するように設けられ、表示部材を補強するための補強部材と、を備える。表示部材は、前記背面に設けられ、当該背面と相まって、補強部材の一部を挟む爪部と、当該背面の一部を突起させた凸部と、を有する。また、補強部材は、爪部を挿入可能に形成される切り欠き部と、凸部が係合される凹部と、を有する。そして表示部材は、爪部が切り欠き部に挿入された状態でスライドされると、爪部によって、補強部材の一部が挟まれると共に、凸部によって、補強部材の凹部が係合される。【選択図】図６
2009251566.tif 000002
【特許請求の範囲】
【請求項１】
画像を表示する表示面を表面に有する表示部材と、
前記表示部材の背面に一部が接するように設けられ、前記表示部材を補強するための補強部材と、を備える表示装置であって、
前記表示部材は、
前記背面に設けられ、当該背面と相まって、前記補強部材の一部を挟む爪部と、当該背面の一部を突起させた凸部と、を有し、
前記補強部材は、
前記爪部を挿入可能に形成される切り欠き部と、前記凸部が係合される凹部と、を有し、
前記表示部材は、
前記爪部が前記切り欠き部に挿入された状態でスライドされると、
前記爪部によって、前記補強部材の一部が挟まれると共に、
前記凸部によって、前記補強部材の凹部が係合される、
表示装置。
【請求項２】
前記凸部は、略半円形状に突起されている、
請求項１に記載の表示装置。
【請求項３】
前記表示部材の表面側に設けられるタッチパネルをさらに備える、
請求項１または２に記載の表示装置。
【請求項４】
前記表示部材は、凸部に替えて、凹部を有し、
前記補強部材は、凹部に替えて、凸部を有する、
請求項１に記載の表示装置。
【発明の詳細な説明】
【技術分野】
【０００１】
本発明は、画像を表示可能な表示部材を備える表示装置に関する。
【背景技術】
【０００２】
従来の表示装置としては、下記の特許文献１に記載されるようなものが存在する。
【０００３】
特許文献１に記載の表示装置は、液晶ユニットと、当該液晶ユニットの背面に設けられる補強部材とを有する。これによって、補強部材が、液晶ユニットのたわみを防止している。
【特許文献１】特開平２−２６４１２１７号公報
【発明の開示】
【発明が解決しようとする課題】
【０００４】
ところで、デジタルカメラ等に用いられる表示装置では、図１０のように、表示部材として、液晶ユニットと、バックライトユニットと、液晶ユニットおよびバックライトユニットを保持する保持部材（板金等）を有することが多い。このため、表示部材（保持部材）と補強部材とを機構で取り付けさせることが可能となる。
【０００５】
しかしながら、このような構成において、補強部材が他の部材に固定されている場合、表示部材と補強部材の取り付けが確認しにくい。すなわち、表示部材と補強部材の取り付け場所が、表示部材や他の部材で隠れてしまい確認しにくい。
【０００６】
そこで本発明は、上記課題を解決するために、補強部材が他の部材の取り付けられている状態であっても、補強部材に対する表示部材の取り付けの確認を容易にできる表示装置を提供することを目的とする。
【課題を解決するための手段】
【０００７】
本発明は、上記課題を解決するために、画像を表示する表示面を表面に有する表示部材と、前記表示部材の背面に一部が接するように設けられ、前記表示部材を補強するための補強部材と、を備える。前記表示部材は、前記背面に設けられ、当該背面と相まって、前記補強部材の一部を挟む爪部と、当該背面の一部を突起させた凸部と、を有する。また、前記補強部材は、前記爪部を挿入可能に形成される切り欠き部と、前記凸部が係合される凹部と、を有する。そして前記表示部材は、前記爪部が前記切り欠き部に挿入された状態でスライドされると、前記爪部によって、前記補強部材の一部が挟まれると共に、前記凸部によって、前記補強部材の凹部が係合される。
【０００８】
このようにすれば、表示部材を補強部材に取り付ける際に、凸部と凹部の係合によって、クリック感がでるため、表示部材と補強部材がしっかり取り付けられたことを容易に確認できる。また、凸部に凹部が係合されているので、簡単に表示部材と補強部材が外れてしまうといったことを防止できる。
【０００９】
また、好ましくは、前記凸部は、略半円形状に突起されている。
【００１０】
このようにすれば、表示部材を補強部材から取り外しも可能となる。例えば、表示部材が故障してしまった場合に、表示部材のみの取り外しが可能となるため、有効となる。他の故障した場合でも、取り外しが容易となるため、修理を容易にできるようになる。
【００１１】
さらに、好ましくは、前記表示部材の表面側に設けられるタッチパネルをさらに備える。
【００１２】
このようにすれば、使用者にタッチ操作される環境であっても、表示部材の背面に、補強部材を備えているので、表示部材のたわみを防止できる。
【００１３】
また、好ましくは、前記表示部材は、凸部に替えて、凹部を有し、前記補強部材は、凹部に替えて、凸部を有する。
【発明の効果】
【００１４】
すなわち、本発明は、補強部材が他の部材に取り付けられている状態であっても、補強部材に対する表示部材の取り付けの確認を容易にできる。
【発明を実施するための最良の形態】
【００１５】
（実施の形態１）
１．構成
以下、本発明の一実施の形態について、図面を参照して説明する。本実施の形態は、本発明の表示装置を、デジタルカメラ１に適用した例を説明する。
【００１６】
図１、図２は、実施の形態１にかかるデジタルカメラの一部分解斜視図である。図３は、実施の形態１に係る表示部材の背面およびレンズユニットに固定された補強部材の一面を示す平面図である。図４は、実施の形態１に係る補強部材の平面図である。図５は、実施の形態１に係る前面ケース内に設置されたレンズユニットを説明するための図である。以下、具体的に説明する。
【００１７】
デジタルカメラ１は、前面ケース１５と、背面ケースを備える。デジタルカメラ１は、前面ケース１５および背面ケース内に、表示部材１１と、補強部材１２と、回路基板１３と、レンズユニット１４と、を備える。
【００１８】
表示部材１１は、画像を表示する表示面を表面に有するものである。すなわち、表示部材１１は、回路基板１３から出力された画像データを、表示画像として表示させるものである。したがって、表示部材１１は、液晶ユニット１１３と、バックライトユニット１１４と、保持部材（板金）１１５で構成できる。
【００１９】
液晶ユニット１１３は、液晶ガラスや液晶ガラス用板金（液晶ガラスを押さえておくための板金）等を有して構成される。なお、液晶ユニット１１３には、液晶ユニット用フレキ１１６が接続されている。この液晶ユニット用フレキ１１６は、回路基板１３とコネクタ等で接続されている。これによって、液晶ユニット１１３は、回路基板１３から画像データ等を受信できるようしている。
【００２０】
バックライトユニット１１４は、光源および導光板、反射シート、拡散シート、第１偏光シート、第２偏光シート等を有して構成される。なお、バックライトユニット１１４には、バックライトユニット用フレキ１１７が接続されている。このバックライトユニット用フレキ１１７は、回路基板１３とコネクタ等で接続されている。これによって、バックライトユニット１１４は、回路基板１３から信号を受信して、補強部材１２に対して光を照射させる。
【００２１】
保持部材（板金）１１５は、金属で構成され、爪部１１１と凸部１１２が形成されている。
【００２２】
爪部１１１は、表示部材１１の背面、すなわち、保持部材（板金）１１５の背面に設けられ、保持部材１１５の背面と相まって、補強部材１２の一部を挟むように構成したものである。この爪部１１１は、補強部材１２の一部を挟むことによって、補強部材１２を保持できるようにしている。ここで複数の爪部１１１は、補強部材１２に対して一方向からスライドされ、保持部材（板金）１１５の背面と相まって、補強部材１２の一部を挟むようにしている。また、爪部１１１は、断面が略Ｌ字形状で構成されている。そして爪部１１１の先端に、突起を設けるようにしている。なお、爪部１１１は、必ずしも断面が略Ｌ字形状である必要はなく、爪部１１１と、保持部材１１５の背面で、補強部材１２を挟むことができるものであればどのような構成であってもかまわない。
【００２３】
また、凸部１１２は、表示部材１１の背面、すなわち、保持部材（板金）１１５の背面の一部を突起させたものである。ここで凸部１１２は、補強部材１２に対して爪部１１１をスライドする方向と逆の方向に、設けられる。すなわち、凸部１１２が設けられる位置は、補強部材１２が爪部１１１に挟まれる位置と、爪部１１１で対向する。なお、凸部１１２は、図５のように、断面が略半円形状になるように突起させている。これによって、表示部材１１が補強部材１２に取り付けられた後でも、力を入れれば、簡単に取り外しができるようになる。なお、必ずしも図５のように断面が略半円形状になるように突起させる必要はなく、例えば、図９のように、断面を略直角三角形形状になるように突起させてもよい（凸部１１２ａ）。
【００２４】
なお、図１１に示すように、表示部材１１の表面に、タッチパネル１６を設けるようにしてもよい。このようにすれば、使用者にタッチ操作される環境であっても、表示部材の背面に、補強部材を備えているので、表示部材のたわみを防止できる。
【００２５】
補強部材１２は、表示部材１１の背面に一部が接するように設けられ、表示部材１１の補強をするための部材である。ここで補強部材１２は、金属で構成され、切り欠き部１２１と凹部１２２とビス挿入孔１２３が形成されている。なお、補強部材１２は、表示部材１１の背面に収まる程度か、少しはみ出る程度の大きさで構成されることが好ましい。このようにすれば、表示部材を補強した場合であっても、表示装置のさらなる大型化を防ぐことができる。すなわち、表示部材を補強しつつも、表示装置を小型で構成できる。
【００２６】
切り欠き部１２１は、爪部１１１を挿入可能に構成されたものであって、この形態では、略台形形状を有している。これによって、爪部１１１の取り付け位置の位置決めを容易にしている。なお、切り欠き部１２１は、必ずしも略台形形状である必要はなく、略長方形状であってもよい。すなわち、切り欠き部１２１は、補強部材１２の一部を切り欠いたものであればよい。
【００２７】
凹部１２２は、凸部１１２を係合させる。凹部１２２は、凸部１１２を係合させるため、補強部材１２に、略円形の孔を形成している。なお、凹部１２２は、必ずしも略円形の孔を形成する必要はなく、例えば、補強部材の一部を窪ませるようにしてもよい。すなわち、凸部を係合できるものであればどのような構成であってもかまわない。
【００２８】
ビス挿入孔１２３は、ビスを挿入可能に構成される。これによって、補強部材１２が、レンズユニット１４に設置された状態で、固定される。すなわち、補強部材１２がレンズユニット１４にビスで螺着される。なお、他の部材（たとえば、レンズユニット）への固定は、ビスによる螺着に限られず、機構構造で固定されるようにしてもよい。
【００２９】
回路基板１３は、前面ケース１５に設けられる基板である。回路基板１３は、ＣＰＵ、ＲＡＭ、ＲＯＭなどの半導体回路や、コネクタなどを有している。これによって、回路基板１３は、表示部材１１に対して画像データを出力可能に構成されている。回路基板１３は、ＲＯＭに記憶された画像データや、外部装置から取得した画像データを、表示部材１１に対して出力可能である。
【００３０】
レンズユニット１４は、前面ケース１５に設けられるレンズ鏡筒である。レンズ鏡筒は、ＣＣＤや複数枚のレンズ、メカシャッタ等を備える。これによって、被写体像を撮像して、画像データを生成することができる。この画像データは、フレキシブルケーブル等を介して、回路基板１３等に設けられる記憶媒体（ＲＯＭ等）に記憶される。レンズユニット１４は、ビス孔１４１を有し、補強部材１２とビスで固定できるようにしている。
２．組み立て方法
次に、このように構成されたデジタルカメラの組み立て方法を説明する。ここで前面ケース１５に対する回路基板１３やレンズユニット１４の取り付けについては、従来技術と同様であるため、説明を省略する。すなわち、図５のように、前面ケース１５に回路基板１３とレンズユニット１４が設置された状態から説明を行なう。
【００３１】
まず、前面ケース１５に設置された回路基板１３のコネクタに対して、液晶ユニット用フレキ１１６とバックライトユニット用フレキ１１７を接続する。その後、前面ケース１５に設置されたレンズユニット１４のビス孔１４１に対して、補強部材１２のビス挿入孔１２３を合致するように設置させる。この補強部材１２がレンズユニット１４に設置された状態で、ビスによって螺着（固定）する。要するに、図５に対して、図４の補強部材を設置する。
【００３２】
次に、補強部材１２の切り欠き部１２１に、表示部材１１の爪部１１１を挿入させる。すなわち、図７の状態から図８の状態にする。この後、表示部材１１の爪部１１１が補強部材１２の１２１に挿入された状態で、図８の矢印のように、表示部材１１をスライドさせる。このように表示部材１１をスライドさせると、図６のように、爪部１１１によって、補強部材１２の一部が挟まれる。これと共に、図６のように、凸部１１２によって、補強部材１２の凹部１２２が係合される。これによって、凸部１１２が凹部１２２に係合される際、爪部１１１によって背面方向に掛けられている力で、表示部材１１の背面が補強部材１２にたたき付けられ、クリック感が発生する。
【００３３】
この後、前面ケース１５に背面ケースを設置して、ビス等で、前面ケース１５と背面ケースを固定させる。なお、この際、必要であれば、表示部材を前面ケース１５又は背面ケースにビス等で固定させる（例えば、図１の背面ケース用固定部材１１８を利用する）。
【００３４】
これによってデジタルカメラ１の組み立てが終了する。
３．まとめ
上述のようにデジタルカメラ１では、画像を表示する表示面を表面に有する表示部材１１と、表示部材１１の背面に一部が接するように設けられ、表示部材１１を補強するための補強部材１２と、を備える。表示部材１１は、前記背面に設けられ、当該背面と相まって、補強部材１２の一部を挟む爪部１１１と、当該背面の一部を突起させた凸部１１２と、を有する。また、補強部材１２は、爪部１１１を挿入可能に形成される切り欠き部１２１と、凸部１１２が係合される凹部１２２と、を有する。そして表示部材１１は、爪部１１１が切り欠き部１２１に挿入された状態でスライドされると、爪部１１１によって、補強部材１２の一部が挟まれると共に、凸部１１２によって、補強部材１２の凹部１２２が係合される。
【００３５】
このようにすれば、表示部材を補強部材に取り付ける際に、凸部と凹部の係合によって、クリック感がでるため、表示部材と補強部材がしっかり取り付けられたことを容易に確認できる。また、凸部に凹部が係合されているので、簡単に表示部材と補強部材が外れてしまうといったことを防止できる。
（他の実施の形態）
本発明の実施の形態として、実施の形態１を例示した。しかし、本発明は、実施の形態１に限定されず、他の実施の形態においても実現可能である。そこで、本発明の他の実施の形態を以下まとめて説明する。
【００３６】
本発明の実施の形態１では、液晶ユニット１１３を有する表示部材１１を用いて説明したが、これに限られず、有機ＥＬユニットを有する表示部材であってもよい。
【００３７】
また、本発明の実施の形態１では、表示部材１１に凸部１１２を有し、補強部材１２に凹部を設けるようにしたが、これに限られない。他の実施の形態は、表示部材に凹部を有し、補強部材に凸部を有するようにしてもよい。
【００３８】
また、本発明の実施の形態１では、保持部材１１５を金属で構成するようにしたが、これに限られず、樹脂で構成してもよい。
【００３９】
また、本発明の実施の形態１では、補強部材１２を金属で構成するようにしたが、これに限られず、樹脂で構成してもよい。
【００４０】
また、本発明の実施の形態１では、補強部材１２をレンズユニット１４に固定させた。しかし、これに限られず、どのような部材に固定してもかまわない。すなわち、補強部材は、固定させる他の部材として、どのような部材であってもかまわない。
【００４１】
すなわち、本発明は上記実施の形態に限定されることなく、種々の態様で実施できる。
【産業上の利用可能性】
【００４２】
本発明は、画像を表示可能な表示部材を備える表示装置に適用可能である。具体的には、表示部材を備えるデジタルカメラ、携帯電話、パソコン用モニター等に利用できる。
【図面の簡単な説明】
【００４３】
【図１】実施の形態１に係るデジタルカメラの一部分解斜視図
【図２】実施の形態１に係るデジタルカメラの一部分解斜視図
【図３】実施の形態１に係る表示部材の背面およびレンズユニットに固定された補強部材の一面を示す平面図
【図４】実施の形態１に係る補強部材の平面図
【図５】実施の形態１に係る前面ケース内に設置されたレンズユニットを説明するための図
【図６】実施の形態１に係る表示部材と補強部材の取り付け後を説明するための断面模式図
【図７】実施の形態１に係る表示部材と補強部材の取り付け前を説明するための断面模式図
【図８】実施の形態１に係る表示部材と補強部材の取り付け途中を説明するための断面模式図
【図９】他の実施の形態に係る凸部を説明するための図
【図１０】実施の形態１に係る表示部材を説明するための一部断面図
【図１１】他の実施の形態にかかるタッチパネルを備えた表示装置を説明するための図
【符号の説明】
【００４４】
１    デジタルカメラ
１１    表示部材
１１１    爪部
１１２    凸部
１１３    液晶ユニット
１１４    バックライトユニット
１１５    保持部材（板金）
１１６    液晶ユニット用フレキ
１１７    バックライトユニット用フレキ
１１８    背面ケース用固定部材
１２    補強部材
１２１    切り欠き部
１２２    凹部
１２３    ビス挿入孔
１３    回路基板
１４    レンズユニット
１４１    ビス孔
１５    前面ケース
１６    タッチパネル
【図１】
2009251566.tif 000003
【図２】
2009251566.tif 000004
【図３】
2009251566.tif 000005
【図４】
2009251566.tif 000006
【図５】
2009251566.tif 000007
【図６】
2009251566.tif 000008
【図７】
2009251566.tif 000009
【図８】
2009251566.tif 000010
【図９】
2009251566.tif 000011
【図１０】
2009251566.tif 000012
【図１１】
2009251566.tif 000013